(57)【要約】【課題】開くときの安全システムを具備する家庭用の圧力調理器具を提供する。【解決手段】蓋ハンドル８および鍋ハンドル７を有し、バヨネット式の閉鎖手段をともなう家庭用の圧力調理器具であって、前記圧力調理器具は、安全弁１１と、制御末端部１７付きの安全装置１３と、鍋ハンドル７内に収容されて制御末端部１７が引き入れられる切欠き部３２と、を有するロック／ロック解除システム１０を有し、ロック／ロック解除システム１０は、制御末端部１７に対する当り止めを形成するように配置される保持端３３を含む制御手段をさらに有する。【選択図】図３Ｃ
2005237974.tif 000002
【特許請求の範囲】
【請求項１】
蓋ハンドル（８）を備えた蓋（２）および鍋ハンドル（７）を備えた鍋（１）を有し、バヨネット式の閉鎖手段をともなって、圧力下で調理するための家庭用器具であって、
前記蓋（２）および当該蓋（２）とともに動く前記蓋ハンドル（８）は、前記鍋（１）および前記鍋ハンドル（７）に対して自由に回転し、
前記蓋ハンドル（８）と前記鍋ハンドル（７）とは、前記器具の閉じ位置において上下に配置されるようになっており、
前記器具は、ロック／ロック解除システム（１０）をさらに有し、
前記ロック／ロック解除システム（１０）は、
前記蓋（２）上に取り付けられて漏れ出し位置と漏れ止め位置との間を移動する安全弁（１１）と、
前記蓋ハンドル（８）上に取り付けられ、第１の停止位置と第２の停止位置との間で前記器具の径方向に弾性的に摺動することが可能で、当該第１の停止位置においては前記安全弁（１１）の自由な移動を許容し、当該第２の停止位置においては前記安全弁（１１）の前記漏れ出し位置から前記漏れ止め位置までの移動を防止する、制御末端部（１７）付き安全装置（１３）と、
前記安全装置（１３）上に取り付けられて休止位置と強制位置との間を弾性的に移動するブロック突起（２１）を具備するとともに、前記蓋ハンドル（８）上に配置されるブロック対抗突起（２５）を具備し、当該ブロック突起（２１）および当該対抗突起（２５）は、前記休止位置において、当該安全装置（１３）を前記第２の停止位置に維持することができるように連携して、当該安全装置（１３）を当該第２の停止位置にブロックすることが可能な安全装置（１３）ブロック手段（２０）と、
前記鍋ハンドル（７）上に配置されて、前記蓋ハンドル（８）が前記閉じ位置に接近する場合、前記ブロック突起（２１）を前記強制位置まで駆動して、前記対抗突起（２５）からの当該ブロック突起（２１）の開放および前記安全装置（１３）の放出を許容して、当該安全装置（１３）を弾性的に前記第１の停止位置に復帰させるトリガ手段（３０）と、
前記鍋ハンドル（７）内に収容されて、前記安全装置（１３）が前記第１の停止位置にある場合、前記制御末端部（１７）が引き入れられる切欠き部（３２）と、を有する、家庭用器具において、
前記ロック／ロック解除システム（１０）が、前記器具を安全に開くための制御手段をさらに有し、
前記制御手段が、
前記切欠き部（３２）に隣接し、前記安全装置（１３）が前記第１の停止位置にある場合に前記制御末端部（１７）に対する当り止めを形成するように配置されて、前記鍋ハンドル（７）および蓋ハンドル（８）が前記器具を開く方向へ回転するのを防止する保持端（３３）と、
前記安全装置（１３）に機能上接続されており、前記制御末端部（１７）の前記切欠き部（３２）内側から外側への移動を許容して、前記鍋ハンドル（７）および蓋ハンドル（８）の相対的な回転、および前記器具が開くことを許可する一方、前記ブロック手段（２０）の自動リセットを許容し、前記器具が開かれる間に、前記ブロック突起（２１）が前記トリガ手段（３０）から離れるのに十分な角度だけ前記蓋ハンドル（８）を前記閉じ位置からずらすことによって、当該ブロック突起（２１）が前記対抗突起（２５）と連携する弾性的な前記休止位置に復帰することを可能にし、前記安全装置（１３）を前記第２の停止位置に係止する駆動手段と、
を有することを特徴とする家庭用器具。
【請求項２】
前記保持端（３３）は、前記器具の径方向に移動する前記安全装置（１３）の移動方向と同じ方向に平行に伸びていることを特徴とする請求項１に記載の家庭用器具。
【請求項３】
前記駆動手段は、前記蓋ハンドル（８）上に位置され、前記安全装置（１３）に機能上接続されて、前記制御末端部（１７）が前記切欠き部（３２）の内側から外側へ移動することを許容する制御ボタン（５０）を有することを特徴とする請求項１または２に記載の家庭用器具。
【請求項４】
前記制御ボタン（５０）および前記安全装置（１３）は、前記器具が開かれる間に、当該制御ボタン（５０）の駆動が、前記器具の半径方向外側に向かう当該安全装置（１３）の移動を引き起こすように配置されていることを特徴とする請求項３に記載の家庭用器具。
【請求項５】
前記制御ボタン（５０）は、前記安全装置（１３）の一体部分であることを特徴とする請求項３または４に記載の家庭用器具。
【請求項６】
前記駆動手段は、前記鍋ハンドル（７）上に位置される制御斜面（３４）をさらに有し、
前記制御末端部（１７）が前記切欠き部（３２）から一旦離れて位置されて前記蓋ハンドル（８）が前記閉じ位置から離れて置かれると、前記制御ボタン（５０）が開放される場合、前記鍋ハンドル（７）と蓋ハンドル（８）との相対的な回転が進行するとともに、当該記制御末端部（１７）は当該制御斜面（３４）に倣って前記器具の半径方向外側に向かって移動して、前記安全装置（１３）を前記第２の停止位置に移動させるように、当該制御斜面（３４）は配置されて方向付けられていることを特徴とする請求項３〜５のいずれか一つに記載の家庭用器具。
【請求項７】
前記制御斜面（３４）は、前記保持端（３３）から伸びて、前記安全装置（１３）の移動方向に対して斜めに、前記器具の半径方向外側に向かって続いていることを特徴とする請求項６に記載の家庭用器具。
【請求項８】
前記制御斜面（３４）の長さは、前記安全装置（１３）が前記第２の停止位置に到達するのに十分な移動を引き起こす一方、前記ブロック手段（２０）がリセットされて、当該安全装置（１３）が当該第２の停止位置に維持されることを許容するのに十分な長さであることを特徴とする請求項６または７に記載の家庭用器具。
【請求項９】
前記安全装置（１３）が移動する方向を示す軸線方向に突出する制御斜面（３４）の長さと前記保持端（３３）の長さとは、当該長さの和が、前記第１の停止位置と前記第２の停止位置との間の前記安全装置（１３）の経路の長さと等しくなるように構成されることを特徴とする請求項６〜８のいずれか一つに記載の家庭用器具。
【請求項１０】
前記トリガ手段（３０）は、前記鍋ハンドル（７）内に収容されていて、前記蓋ハンドル（８）が前記閉じ位置に接近する場合、前記ブロック突起（２１）に対して突出して当接し、当該ブロック突起（２１）を前記強制位置に押し進めるトリガ止め（３１）によって形成されることを特徴とする請求項１〜９のいずれか一つに記載の家庭用器具。
【請求項１１】
前記トリガ止め（３１）は、前記安全装置（１３）の移動方向と同じ方向に平行に伸びていることを特徴とする請求項１０に記載の家庭用器具。
【発明の詳細な説明】
【技術分野】
【０００１】
本発明は、鍋と、鍋を係止して実質的に漏れ止め性の調理用容器を形成する蓋とを有する圧力下で調理するための家庭用器具の一般的な技術分野に関する。当該器具は、蒸気圧下で鍋内の食品を調理する。
【０００２】
特に、本発明は、蓋ハンドルを備えた蓋および鍋ハンドルを備えた鍋を有し、バヨネット式の閉鎖手段をともなって、圧力下で調理するための家庭用器具に関し、前記蓋および当該蓋とともに動く前記蓋ハンドルは、前記鍋および前記鍋ハンドルに対して自由に回転し、前記蓋ハンドルと前記鍋ハンドルとは、前記器具の閉じ位置において上下に配置されるようになっており、前記器具は、ロック／ロック解除システムをさらに有し、前記ロック／ロック解除システムは、前記蓋上に取り付けられて漏れ出し位置と漏れ止め位置との間を移動する安全弁と、前記蓋ハンドル上に取り付けられ、第１の停止位置と第２の停止位置との間で前記器具の径方向に弾性的に摺動することが可能で、当該第１の停止位置においては前記安全弁の自由な移動を許容し、当該第２の停止位置においては前記安全弁の前記漏れ出し位置から前記漏れ止め位置までの移動を防止する、制御末端部付き安全装置と、前記安全装置上に取り付けられて休止位置と強制位置との間を弾性的に移動するブロック突起を具備するとともに、前記蓋ハンドル上に配置されるブロック対抗突起を具備し、当該ブロック突起および当該対抗突起は、前記休止位置において、当該安全装置を前記第２の停止位置に維持することができるように連携して、当該安全装置を当該第２の停止位置にブロックすることが可能な安全装置ブロック手段と、前記鍋ハンドル上に配置されて、前記蓋ハンドルが前記閉じ位置に接近する場合、前記ブロック突起を前記強制位置まで駆動して、前記対抗突起からの当該ブロック突起の開放および前記安全装置の放出を許容して、当該安全装置を弾性的に前記第１の停止位置に復帰させるトリガ手段と、前記鍋ハンドル内に収容されて、前記安全装置が前記第１の停止位置にある場合、前記制御末端部が引き入れられる切欠き部と、を有する。
【背景技術】
【０００３】
圧力下で調理するための家庭用器具は、“圧力調理器具”として知られている。一般的な圧力調理器具は、鍋上へ蓋を係止するために様々なシステムを有することができる。これらの器具は、分割されて、蓋または取り付け爪（バヨネット）を引き込むコの字形の部材を含む。本発明は、特に技術的な概念が広範囲にわたるバヨネット式のシステムに関する。
【０００４】
これらのシステムにおいて、鍋と蓋との間の機械的な接続は、対応するランプ部によってなされる。前記ランプ部は、それぞれ鍋および蓋上に位置して、器具が係止される場合、これらのランプ部は連携して、調理器具内部の圧力によって生じる力を封じ込める。器具の開閉操作は、鍋に対して蓋を回転させることによって実行される。この回転は、蓋と鍋ランプ部との係合、または、蓋の鍋ランプ部からの開放を許容する。
【０００５】
取り扱い（特に、鍋に対する蓋の回転）を容易にするために、器具には鍋および蓋の両方にハンドルが取り付けられている。したがって、器具は、鍋ハンドルおよび蓋ハンドルの両方を備えている。鍋ハンドルおよび蓋ハンドルは両方とも、異なる形状を有して、短いまたは長いハンドルのどちらも形成する傾向がある。また、短いハンドルは、中心蓋ハンドルによって達成されることもできる。
【０００６】
圧力調理器具の安全性を改良することにおいて認知されている要素は、安全装置を使用することである。安全装置は、たとえば、上述のハンドルのうちの一方に組み込まれることができ、器具に圧力がかけられている間、蓋を回転させることができないように組立てられている。
【０００７】
また、蓋に安全弁が備えられた圧力調理器具がよく知られている。圧力調理器具が閉じられる場合、安全弁は上方の位置にあって、容器の封止を提供する。圧力調理器具が開かれる場合、安全弁は、所定の閾値より小さい内部圧力値に対応する下方の位置にあって、容器の内側に含まれる空気が放出されることを許容する。このような方法において、蓋が閉じられて圧力調理器具に圧力がかけられる場合、（上方の閉じた位置にある）安全弁は、器具の径方向に移動可能なように蓋ハンドルに取り付けられた安全装置の内部に設けられる穴の内部で停止する。この構成において、安全装置は、所定の位置に係止されて鍋に対する蓋の回転を防止する。
【０００８】
一方、圧力調理器具内部の圧力が再び所定の閾値より小さくなる場合、安全弁は下方の漏れ出し位置に復帰して、安全装置を開放する。その結果、単純に鍋に対して蓋ハンドルを相対的に回転させることによって、器具は開かれることができる。この操作は、蓋を回転させて鍋ランプ部から開放することを引き起こす効果を有する。
【０００９】
よく知られて広く行き渡った安全システムが、とりわけその自動特性に関して、特定の利点を示す。この自動特性は、ユーザが器具を操作することをより容易にしている。しかしながら、これらの安全システムは、完全な満足を与えるものではない。
【００１０】
とりわけ、安全弁の機能を果たす部分にゆるやかな詰まりが起こることがある。これは、特にこの領域に食品またはカルシウムが蓄積することに起因する。このような詰まりは、安全弁の適切な移動を妨げやすい。
【００１１】
たとえば、ユーザは、安全弁が下方の位置になり次第、鍋ハンドルに対して蓋ハンドルを回転させて、圧力調理器具を開くことが可能である。しかしながら、上述してきたとおり、ある程度まだ鍋を漏れ止めしている間であっても、詰まりによって安全弁が下方の位置にあることが可能である。このような状況において、器具にまだいくらかの圧力がかかっている場合であっても、ユーザは、器具を開くことができる。
【００１２】
したがって、自動で、ユーザにとって操作が容易であるのと同時に、調理器具内部の全ての圧力が排気されるまで器具が開くことを許容しない係止システムを備える圧力調理器具の製造は、明らかに関心を引くものである。
【発明の開示】
【発明が解決しようとする課題】
【００１３】
本発明は、上述した問題を解決するためになされたものである。
【００１４】
したがって、本発明の目的は、上述される様々な不利な点を改善し、器具を使用する際の優れた安全性を保証するロック／ロック解除システムを有する新規な家庭用の圧力調理器具を提案することである。
【００１５】
本発明の他の目的は、開くときの付加的な安全性を提供するロック／ロック解除システムを有する新規な家庭用の圧力調理器具を提案することである。
【００１６】
本発明の他の目的は、自動と同時に簡単で、直観的に使用できるロック／ロック解除システムを有する新規な圧力調理器具を提案することである。
【００１７】
本発明の他の目的は、ロック／ロック解除システムのリセットが自動である新規な圧力調理器具を提案することである。
【００１８】
本発明の他の目的は、制御の自動特性が、器具を閉じるときにおいても、器具を開くときと同様に効果的である新規な圧力調理器具を提案することである。
【００１９】
また、本発明の目的は、バヨネット式の閉鎖手段をともなう圧力下で調理するための家庭用器具を用いて達成される。
【課題を解決するための手段】
【００２０】
本発明の上記目的は、下記の手段によって達成される。
【００２１】
本発明の家庭用器具は、蓋ハンドルを備えた蓋および鍋ハンドルを備えた鍋を有し、バヨネット式の閉鎖手段をともなって、圧力下で調理するための家庭用器具であって、前記蓋および当該蓋とともに動く前記蓋ハンドルは、前記鍋および前記鍋ハンドルに対して自由に回転し、前記蓋ハンドルと前記鍋ハンドルとは、前記器具の閉じ位置において上下に配置されるようになっており、前記器具は、ロック／ロック解除システムをさらに有し、前記ロック／ロック解除システムは、前記蓋上に取り付けられて漏れ出し位置と漏れ止め位置との間を移動する安全弁と、前記蓋ハンドル上に取り付けられ、第１の停止位置と第２の停止位置との間で前記器具の径方向に弾性的に摺動することが可能で、当該第１の停止位置においては前記安全弁の自由な移動を許容し、当該第２の停止位置においては前記安全弁の前記漏れ出し位置から前記漏れ止め位置までの移動を防止する、制御末端部付き安全装置と、前記安全装置上に取り付けられて休止位置と強制位置との間を弾性的に移動するブロック突起を具備するとともに、前記蓋ハンドル上に配置されるブロック対抗突起を具備し、当該ブロック突起および当該対抗突起は、前記休止位置において、当該安全装置を前記第２の停止位置に維持することができるように連携して、当該安全装置を当該第２の停止位置にブロックすることが可能な安全装置ブロック手段と、前記鍋ハンドル上に配置されて、前記蓋ハンドルが前記閉じ位置に接近する場合、前記ブロック突起を前記強制位置まで駆動して、前記対抗突起からの当該ブロック突起の開放および前記安全装置の放出を許容して、当該安全装置を弾性的に前記第１の停止位置に復帰させるトリガ手段と、前記鍋ハンドル内に収容されて、前記安全装置が前記第１の停止位置にある場合、前記制御末端部が引き入れられる切欠き部と、を有する、家庭用器具において、前記ロック／ロック解除システムが、前記器具を安全に開くための制御手段をさらに有し、前記制御手段が、前記切欠き部に隣接し、前記安全装置が前記第１の停止位置にある場合に前記制御末端部に対する当り止めを形成するように配置されて、前記鍋ハンドルおよび蓋ハンドルが前記器具を開く方向へ回転するのを防止する保持端と、前記安全装置に機能上接続されており、前記制御末端部の前記切欠き部内側から外側への移動を許容して、前記鍋ハンドルおよび蓋ハンドルの相対的な回転、および前記器具が開くことを許可する一方、前記ブロック手段の自動リセットを許容し、前記器具が開かれる間に、前記ブロック突起が前記トリガ手段から離れるのに十分な角度だけ前記蓋ハンドルを前記閉じ位置からずらすことによって、当該ブロック突起が前記対抗突起と連携する弾性的な前記休止位置に復帰することを可能にし、前記安全装置を前記第２の停止位置に係止する駆動手段と、を有することを特徴とする。
【００２２】
前記保持端は、前記器具の径方向に移動する前記安全装置の移動方向と同じ方向に平行に伸びている。
【００２３】
前記駆動手段は、前記蓋ハンドル上に位置され、前記安全装置に機能上接続されて、前記制御末端部が前記切欠き部の内側から外側へ移動することを許容する制御ボタンを有する。
【００２４】
前記制御ボタンおよび前記安全装置は、前記器具が開かれる間に、当該制御ボタンの駆動が、前記器具の半径方向外側に向かう当該安全装置の移動を引き起こすように配置されている。
【００２５】
前記制御ボタンは、前記安全装置の一体部分である。
【００２６】
前記駆動手段は、前記鍋ハンドル上に位置される制御斜面をさらに有し、前記制御末端部が前記切欠き部から一旦離れて位置されて前記蓋ハンドルが前記閉じ位置から離れて置かれると、前記制御ボタンが開放される場合、前記鍋ハンドルと蓋ハンドルとの相対的な回転が進行するとともに、当該記制御末端部は当該制御斜面に倣って前記器具の半径方向外側に向かって移動して、前記安全装置を前記第２の停止位置に移動させるように、当該制御斜面は配置されて方向付けられている。
【００２７】
前記制御斜面は、前記保持端から伸びて、前記安全装置の移動方向に対して斜めに、前記器具の半径方向外側に向かって続いている。
【００２８】
前記制御斜面の長さは、前記安全装置が前記第２の停止位置に到達するのに十分な移動を引き起こす一方、前記ブロック手段がリセットされて、当該安全装置が当該第２の停止位置に維持されることを許容するのに十分な長さである。
【００２９】
前記安全装置が移動する方向を示す軸線方向に突出する制御斜面の長さと前記保持端の長さとは、当該長さの和が、前記第１の停止位置と前記第２の停止位置との間の前記安全装置の経路の長さと等しくなるように構成される。
【００３０】
前記トリガ手段は、前記鍋ハンドル内に収容されていて、前記蓋ハンドルが前記閉じ位置に接近する場合、前記ブロック突起に対して突出して当接し、当該ブロック突起を前記強制位置に押し進めるトリガ止めによって形成される。
【００３１】
前記トリガ止めは、前記安全装置の移動方向と同じ方向に平行に伸びている。
【発明の効果】
【００３２】
本発明の家庭用調理器具によれば、器具を使用する際の優れた安全性を保証するロック／ロック解除システムを有する新規な家庭用の圧力調理器具が提供される。したがって、ユーザが器具を使用する際の安全性が保証される。
【００３３】
また、開くときの付加的な安全性を提供するロック／ロック解除システムを有する新規な家庭用の圧力調理器具が提供される。したがって、ユーザはより安全に器具を使用することができる。
【００３４】
また、自動と同時に簡単で、直観的に使用できるロック／ロック解除システムを有する新規な圧力調理器具が提供される。したがって、ユーザは容易に器具を使用することができる。
【００３５】
さらに、ロック／ロック解除システムのリセットが自動である新規な圧力調理器具が提案される。したがって、圧力調理器具は、一旦、開かれても、直ちに再び使われる準備ができている。
【００３６】
さらに、制御の自動特性が、器具を閉じるときにおいても、器具を開くときと同様に効果的である新規な圧力調理器具が提供される。したがって、ユーザはより容易に器具を使用することができる。
【発明を実施するための最良の形態】
【００３７】
以下、図面を参照して、本発明の実施の形態を説明する。
【００３８】
本発明の他の特徴および利点は、添付の図面を参照しつつ以下の説明を読むことによって明白になり更に詳細に理解される。これらの図面は、単に説明の目的で与えられたものであって、本発明の領域を制限するものではない。なお、図中の同様の部材には同じ符号を用いた。
【００３９】
本発明は、鍋１（図５参照）と、鍋１上に降ろされて調理器具用の漏れ止めを形成するように意図された蓋２（図４参照）と、を有する、圧力下で調理するための家庭用器具（すなわち、家庭用調理器具）に関する。
【００４０】
本発明に係る器具は、バヨネット式として知られている一種の閉鎖手段を有する。この効果のために、前記器具は、蓋２の端部周辺に蓋ランプ部３と、鍋端部５周辺に鍋ランプ部４と、を有する。このようにすると、前記器具を開閉するために、蓋２を鍋１に対して相対的に回転させて鍋ランプ部４に対して離脱または係合させることが必要となる。閉じ位置において、前記調理器具用の漏れ止めは、蓋２の端部周辺に伸びるシール部６を有する。
【００４１】
前記器具の開閉を容易にするために、鍋１は鍋ハンドル７を有し、蓋２は蓋ハンドル８を有する。蓋ハンドル８は、当該器具の閉じ位置において、鍋ハンドル７に対して上下に配置されて位置合わせされるようになっている。蓋２と蓋ハンドル８とは、一旦、鍋１上に降ろされると、鍋１上を回転することによって前記器具の開閉を許容することができる（図３Ａ，図３Ｂ，および図３Ｃ参照）。
【００４２】
本発明の範囲から外れることなく、前記器具は明らかに２つ以上のハンドルを備えることができる。
【００４３】
本発明によれば、前記器具は、ロック／ロック解除システム１０を有する。ロック／ロック解除システム１０は、一方で前記器具の閉鎖および係止を可能とし、他方で、当該器具の係止解除および開放を可能にする。
【００４４】
重要なことに、ロック／ロック解除システム１０は、蓋２上に取り付けられて漏れ出し位置および漏れ止め位置の間を移動する安全弁１１を有する。前記漏れ出し位置において、安全弁１１は都合よく下方の位置をとる（図１Ｂおよび図２Ｂ参照）。前記下方の位置において、安全弁１１は、蓋２に設けられた蓋穴部１２を介して、調理器具内部から蒸気が外部に漏れ出ることを許容する。一方、前記漏れ止め位置において、図３Ｂに示されるとおり、安全弁１１は都合よく上方の位置をとる。前記上方の位置において、安全弁１１の下部は、蓋穴部１２の端部に対して停止して、きつい漏れ止めを作り出す。
【００４５】
安全弁１１の前記下方の位置、および、より一般的には最下方の位置から最上方の位置までのすべての中間的な位置において、流体は、調理器具９の内部および外部の間を自由に移動することができる。
【００４６】
また、本発明によれば、ロック／ロック解除システム１０は、蓋ハンドル８に取り付けられて、当該器具の径方向への移動が可能な安全装置１３を有する。安全装置１３は、たとえば圧縮ばね（不図示）を用いることによって、弾性的に滑動することができるように取り付けられる。前記圧縮ばねの反力は、調理器具の中心に向かって、矢印Ｆ１（図１Ｂ参照）にしたがうように方向付けられている。したがって、前記圧縮ばねは、安全装置１３を第１の停止位置へ移動させる傾向を有し、前記器具の半径方向内側に向かう安全装置１３の復帰を形作る。
【００４７】
より好ましくは、安全装置１３は、２つの停止位置の間で、図１Ｂに示される２つの反対の方向Ｆ１，Ｆ２にしたがって、前記器具の径方向に滑動することができるように取り付けられる。前記第１の停止位置においては、安全装置１３は、安全弁１１の自由な移動を許容するように組み立てられている。一方、第２の停止位置においては、安全装置１３は、安全弁１１が（下方の）漏れ出し位置から（上方の）漏れ止め位置まで移動することを防止するように組み立てられている。
【００４８】
この効果のために、安全装置１３は、安全装置１３の移動方向Ｆ１，Ｆ２と同じ方向に平行に伸びている側柱１４を有する。側柱１４は、内部に開けられた穴部１５を有する。図３Ｂおよび図３Ｃに示されるとおり、安全装置１３が前記第１の停止位置に到達した場合、穴部１５の中心軸線は、安全弁１１の軸線Ｘ−Ｘ’と位置合わせされる。
【００４９】
したがって、前記第１の停止位置において、安全弁１１は、前記軸線Ｘ−Ｘ’に沿って自由に移動可能であり、調理器具９内部の優勢な圧力状況にしたがって前記最下方の位置と最上方の位置との間のすべての位置をとることができる。
【００５０】
この形態において、ハンドル７，８は上下に配置されて、器具の閉じ位置にある。
【００５１】
好ましくは、安全装置１３は、図１Ｂに示される前記器具の半径方向外側（矢印Ｆ２）に向かう安全装置１３の移動を制限する少なくとも第２の停止位置を有する。
【００５２】
半径方向外側への停止位置を形成する前記第２の停止位置は、図２Ｂに示される。前記第２の停止位置において、第１および第２の停止位置の間の全ての中間位置と同様に、側柱１４の端部１６は、安全弁１１の横に少なくとも部分的に並ぶように配置される。その結果、安全弁１１の自由な移動が防止される。安全弁１１は、もはや最上方の漏れ止め位置に到達することができず、調理器具９内部と外部との間の永続的な連通を維持する。したがって、前記器具が正しく閉じられていない場合、当該器具に圧力がかかることが防止される。
【００５３】
また、本発明のロック／ロック解除システム１０は、前記圧縮ばねによって方向Ｆ１（図４参照）にかけられる反力に対抗して、前記第２の停止位置に安全装置１３をブロックするための安全装置ブロック手段２０を有する。
【００５４】
本発明のブロック手段２０は、ハウジング２２に取り付けられ、圧縮ばね２３によって自由にそして弾性的に移動するブロック突起２１を具備する。したがって、ブロック突起２１は、ハウジング２２の範囲内において、ばね２３の反対側の端部２１Ｃがハウジング２２から突出する休止位置と端部２１Ｃがハウジング２２から突出しない強制位置との間で摺動することができる（図４参照）。ブロック突起２１の進路は、安全装置１３の運動方向Ｆ１，Ｆ２に垂直な方向にしたがう。
【００５５】
また、安全装置１３のブロック手段２０は、蓋ハンドル８上に位置するブロック対抗突起２５を有する（図４参照）。
【００５６】
図４に示されるとおり、突起２１および対抗突起２５は、装着（またはセット）として知られている位置において連携するように取り付けられている。当該位置おいて、突起２１は前記休止位置にあって、矢印Ｆ１の方向にばねによって作用される反力によって、安全装置１３が摺動することを阻止する。その結果、安全装置１３を第２の停止位置に維持することが保証される。
【００５７】
この目的のために、突起２１は、係止面２１Ａと、係止面２１Ａに対して傾斜している戻し面２１Ｂを提示する（図４参照）。同様に、対抗突起２５は、係止対抗面２５Ａと、係止対抗面２５Ａに対して傾斜している戻し対抗面２５Ｂを有する。したがって、安全装置１３のブロックは、係止面２１Ａが係止対抗面２５Ａに対して相対的に係合することによって達成される。
【００５８】
また、本発明のロック／ロック解除システム１０は、鍋ハンドル７上に配置されたトリガ手段３０を有する（図５参照）。蓋ハンドル８が前記閉じ位置（鍋ハンドル７に対して位置決めされる位置）に接近する場合、トリガ手段３０は、ブロック突起２１を前記強制位置まで駆動する。
【００５９】
トリガ手段３０は、鍋ハンドル７上に配置されたトリガ止め３１によって形成される。トリガ止め３１は突出して、蓋ハンドル８が前記閉じ位置に接近するときに、突起２１に対して当接する。したがって、トリガ止め３１は、突起２１が完全にハウジング２２に入る強制位置に突起２１を向かわせる。
【００６０】
好ましくは、鍋ハンドル７は、圧力調理器具が運転可能な位置にあるときに水平となる平面７Ａを有する。そして、好ましくは、トリガ止め３１は、平面７Ａに対して実質的に垂直なトリガ止め面３１Ａを有する（図５参照）。
【００６１】
好ましくは、トリガ止め３１（より正確にはトリガ止め面３１Ａ）は、安全装置１３の移動方向と同じ方向に平行に伸びている。
【００６２】
この結果、蓋ハンドル８が鍋ハンドル７と位置合わせされる場合、少なくとも突起２１の端部２１Ｃの一部がトリガ止め面３１Ａに支えられて、ばね２３に対抗する突起２１の移動を生じさせる。突起２１は、徐々にハウジング２２に入り、対抗突起２５から開放され安全装置１３の放出を可能とする。図３Ｃに示されるとおり、安全装置１３は、弾性的に前記第１の停止位置に復帰する。
【００６３】
好ましくは、安全装置１３は、安全装置１３の下部を形成する制御末端部１７を有する。
【００６４】
本発明において、ロック／ロック解除システム１０は、鍋ハンドル７上に配置された（好ましくはＵ字形の）切欠き部３２を有する。切欠き部３２は、停止面３２Ａおよび平行側面３２Ｂ，３２Ｃを有する（図５参照）。安全装置１３が前記第１の停止位置にあるとき、制御末端部１７は、切り欠き部３２の内側に引き入れられている（図３Ｃ参照）。
【００６５】
また、本発明のとりわけ興味深い特徴は、ロック／ロック解除システム１０は、すべての安全状況が満たされない限り、調理器具が開かれることを防止する安全性制御手段を有するということである。
【００６６】
前記制御手段は、器具が開かれる方向に切欠き部３２を限定している側面の一つである側面３２Ｃで構成されている保持端３３を有する。また、保持端３３は、安全装置１３が前記第１の停止位置にある場合、制御末端部１７に対する当り止めを形成するように設置されている（図３Ｃ参照）。したがって、保持端３３は、調理器具が開かれる方向Ｆ３へのハンドル７，８の回転を防止する。それゆえ、保持端３３は、ハンドル７，８の単純な回転によって制御末端部１７が切欠き部３２内側から外側に出てくることを防止して、２つのハンドル７，８を一緒に定位置にブロックすることができるブロック要素を形成することができる。
【００６７】
保持端３３は、ユーザがハンドルに単純な牽引力を働かせることによって器具を開くことを防止する。たとえば、保持端３３は、ユーザが矢印Ｆ３の方向に蓋ハンドル８を動かして鍋ハンドル７から解放しようとすることを防止する（図３Ｃ参照）。
【００６８】
また、本発明のロック／ロック解除システム１０は、保持端３３と組み合わされて、器具が安全に開くことを許容する駆動手段を有する。
【００６９】
前記駆動手段は、安全装置１３に機能上接続されて、制御末端部１７が切欠き部３２内部から外部へ移動することを可能とする。したがって、ハンドル７，８が相対的に回転されて、その結果、器具が開くことが許可される。
【００７０】
また、前記駆動手段は、ブロック手段２０の自動再装備（または自動リセット）を可能とする。すなわち、係止面２１Ａと係止対抗面２５Ａとが自動係合することが可能となる。
【００７１】
前記駆動手段は、ユーザによって駆動されることができ、また、少なくとも部分的に、ユーザによって動かされることができる。その結果、前記駆動手段の駆動は、制御末端部１７の切欠き部３２内部から外部への移動を引き起こす。一旦、制御末端部１７が保持端３３を越えてしまうと、２つのハンドル７，８が互いに離れるように移動することが許可される。
【００７２】
図２Ｃに示されるとおり、ブロック手段２０の自動リセットは、器具を開いている間に、蓋ハンドル８をずらすことによって達成される。蓋ハンドル８は、前記閉じ位置に対して充分な角度αだけずらされて、突起２１をトリガ手段３０（より正確にはトリガ止め面３１Ａ）から引き離す。トリガ止め面３１Ａから突起２１が離れることは、突起２１が対抗突起２５と連携する弾性的な休止位置に戻ることを許可する。したがって、安全装置１３は前記第２の停止位置にブロックされることができる。
【００７３】
この自動リセットのために、圧力調理器具は、一旦、開かれても、再び使われる準備ができている。
【００７４】
上述した駆動手段に対する保持端３３の連結は、２つの興味深い特徴を示す。
【００７５】
まず、ハンドル７，８を互いに離れるように旋回させることによってユーザが簡単に器具を開くことができることを防止することによって、開くときのユーザ安全性を保証する。
【００７６】
そして、安全装置１３およびブロック手段２０の自動リセットを可能にする。その結果、圧力調理器具は、一旦、開かれても、直ちに再び使われる準備ができている。
【００７７】
保持端３３は、前記器具の径方向に移動する安全装置１３の移動方向と同じ方向に平行に伸びて、ハンドル７，８が回転して互いに離れる方向と一致する方向に続く。
【００７８】
前記駆動手段は、ユーザによって駆動されることができ、制御ボタン５０を有することができるという点で、とりわけ有効である。制御ボタン５０は、蓋ハンドル８上に位置し、安全装置１３に機能上接続されて、制御末端部１７が切欠き部３２の内側から外側へ移動することを許容する。
【００７９】
特に、器具が開かれるとき、制御ボタン５０の駆動が、前記器具の半径方向外側（矢印Ｆ２）に向かう安全装置１３の移動を引き起こすように、制御ボタン５０および安全装置１３は配置されている。
【００８０】
なお、好ましくは、制御ボタン５０は、安全装置１３と一体化されている。
【００８１】
本発明の第１の実施の形態によれば、前記駆動手段は制御ボタン５０単独で形成されることができる。制御ボタン５０は、安全装置１３の対応する経路が、安全装置１３が保持端３３を横切って第２の停止位置に到達するのに十分であることを許容する以上の距離をユーザによって動かされる。
【００８２】
本発明の第２の実施の形態によれば、前記駆動手段は、鍋ハンドル７上に位置する制御斜面３４を有する。図２Ｃに示されるとおり、器具を開くときに、一旦、制御末端部１７が切欠き部３２を出て、蓋ハンドル８が閉じ位置を出る（すなわち、鍋ハンドル７に対して角度αだけずらされる）と、制御ボタン５０が開放される場合、制御末端部１７は制御斜面３４に倣って、ハンドル７，８の相対的な回転が進行するとともに前記器具の半径方向外側に向かって移動して、安全装置１３は前記第２の停止位置へ向かって移動させるように、制御斜面３４は配置されて方向付けられている。
【００８３】
また、本発明の第２の実施の形態におけるこの方法は、ユーザがハンドル７，８を互いに離れるように動かし始めるとすぐに、ユーザが制御ボタン５０を開放することができるという長所がある。
【００８４】
好ましくは、図１Ｃに示されるとおり、制御斜面３４は、保持端３３から伸びて、安全装置１３の移動方向Ｆ１またはＦ２に対して斜めに、前記器具の半径方向外側に向かって続いている。
【００８５】
本発明のとりわけ有利な他の特徴は、制御斜面３４が安全装置１３の十分な経路をもたらすのに十分な長さを有することである。その結果、安全装置１３は前記第２の停止位置に到達し、ブロック手段２０のリセットが可能となる。その結果、第１および第２の停止位置の間に安全装置１３が維持される。
【００８６】
このような観点で、安全装置１３の移動方向を示している軸線Ｙ−Ｙ’方向に突出する制御斜面３４の長さおよび保持端３３の長さは適合される。したがって、軸線Ｙ−Ｙ’上に突出する制御斜面３４の長さと保持端３３の長さの和は、前記第１の停止位置と前記第２の停止位置との間の安全装置１３の経路の長さと等しい長さＬを示す。
【００８７】
本発明に係る器具の作用効果は、図１〜図５を参照しつつ以下に述べられる。
【００８８】
圧力調理器具を使用する観点では、ハンドル７，８が上下に配置されないようにわずかにずらして、ユーザが蓋２を鍋１上に配置することから始まる。
【００８９】
このような配置では、図４に示されるとおり、安全装置１３は前記第２の停止位置にある。そして、安全弁１１は自由に移動ができず、最上方の位置の漏れ止め位置に到達することもできない。
【００９０】
それから、ユーザは、図２Ａに示される矢印Ｆ４によって示される方向に２つのハンドル７，８を一緒に徐々に移動させることにより器具を閉じ始める。図３Ａ，図３Ｂ，および図３Ｃに示されるとおり、２つのハンドル７，８は上下に配置されて位置合わせされるまで移動される。
【００９１】
図１Ｃに示される閉じ前位置において、２つのハンドル７，８は実質的に配置合わせされており、突起２１は、トリガ止め３１のトリガ止め面３１Ａ上に休止するようになる。
【００９２】
この閉じ前位置においては、側柱１４の端部１６が介在するため、安全弁１１は、まだ上方の漏れ止め位置へ移動することはできない。
【００９３】
この部分的に係止された位置において、調理器具９の内部圧力は上昇することができず、ユーザ安全性が保証される。図１Ａ，図１Ｂ，または図１Ｃに示される配置と、図２Ａに示される配置との間で、ハンドル７，８が一緒に移動されるので、突起２１が対抗突起２５から解放されるまで、突起２１はトリガ緩衝によって徐々に駆動される。突起２１は、ばね２３に逆らってハウジング２２の中にとどまる。
【００９４】
一旦、突起２１の対抗突起２５からの解放が起こると、安全装置１３は放出されて、図３Ｃに示されるとおり、第１の停止位置に到達する傾向がある。前記第１の停止位置において、制御末端部１７は、切欠き部３２および停止面３２Ａに対して停止するようになる。器具の閉じ位置および係止位置に対応する当該位置において、穴部１５は、安全弁１１の軸線Ｘ−Ｘ’と位置合わせされている。したがって、安全弁１１の漏れ止め位置へ向かう自由な移動を許可する。このような方法で、調理器具９内部の圧力の穏やかな上昇は、図３Ｂに示されように、上方の漏れ止め位置への安全弁１１の移動を引き起こす。
【００９５】
この器具を閉じるシステムのために、本発明の圧力調理器具は、完全に閉じられて係止された瞬間から、ようやく内部の圧力が増加するという傾向がある。
【００９６】
一旦、調理が終わると、熱源はオフにされて、調理器具９内部の圧力は減少し始める。圧力が閾値以下、たとえば約０．５ｋＰａまで落ちた場合、安全弁１１は、下方の漏れ出し位置に復帰することができる。そして、安全装置１３は、安全弁１１によって係止されず、新たに移動することが可能である。
【００９７】
本発明に伴うロック／ロック解除システム１０の配置形態は、安全弁１１が下方の位置にあるという違いを除けば、図３Ｃに示される形態と同様である。図３Ｃに示すとおり、制御末端部１７は、切欠き部３２に対して係合される。その結果、器具の開放は、ユーザによる制御ボタン５０の初期駆動を必要とする。したがって、器具を開くために、ユーザは何よりもまず制御ボタン５０を、前記器具の半径方向外側（方向Ｆ２）に向かって引っ張って、制御末端部１７を切欠き部３２の外側に出さなければならない。とりわけ、制御ボタン５０は、制御末端部１７が保持端３３を越えて通過することを許容する充分な距離以上に動かされなければならない。
【００９８】
そして、２つのシナリオが後に続くことができる。
【００９９】
第１のシナリオにおいて、ユーザは、ブロック手段２０がリセットされることを可能とするのに十分な距離以上、制御ボタン５０を動かす。この場合、安全装置１３は、図４に図示したとおり、突起２１および対抗突起２５の係止面２１Ａおよび係止対抗面２５Ａが相互に係合して、安全装置１３を第２の停止位置に閉じ込めるために十分な距離以上を移動する。それから、ユーザは、ハンドル７，８を図１Ｃに示される矢印Ｆ３に従って互いに離れる向きに回転させることによって、ブロック手段２０はリセットされて、器具を開くことができる。
【０１００】
一方、第２のシナリオにおいて、制御ボタン５０の移動は、安全装置１３（正確には制御末端部１７）が切欠き部３２から解放され、保持端３３を越えることを許容するのに十分であるけれども、ブロック手段２０がリセットされるのを許容するのには十分でない。
【０１０１】
この場合、ユーザは、制御ボタン５０を保持する間に、（矢印Ｆ３の方向に）ハンドル７，８を互いに離すようにわずかに回転させ始めさえすればよい。回転が進行するとすぐに、ユーザは制御ボタン５０を放出することができる。そして、制御ボタン５０の放出は安全装置１３を放出する効果を有する。一旦放出されると、安全装置１３は、前記器具の半径方向内側Ｆ１に向かって弾性的に復帰して、図２Ｃに示されるとおり、自然に制御末端部１７を介して制御斜面３４と係合するようになる。
【０１０２】
器具を開き終えるために、ユーザはそれから、ハンドル７，８を互いに離れる方向Ｆ３に回転させ続けなければならない。その間に、同時にそして自動的に、ブロック手段２０はリセットされる。このような方法において、制御斜面３４は、前記リセットを許容するのに十分な長さを有する。したがって、安全弁１１のいかなる移動をも防止する位置に、安全装置１３は、新たにブロックされる。
【０１０３】
したがって、本発明にともなう圧力調理器具は、安全な開放手順および自動リセットという二重の利点を有する。その結果、器具を開く場合、器具は直ちに使用可能であって、ユーザによって実行される操作の数は最小であるような当該器具の構成が許容される。
【図面の簡単な説明】
【０１０４】
【図１Ａ】調理器具内部の圧力が安全弁のトリガ閾値よりも低い場合、器具の開放に先立って、上下に位置する蓋および鍋ハンドルの上面図である。
【図１Ｂ】調理器具に圧力がかけられていない場合、器具の開放に先立って、ロック解除位置にある本発明のロック／ロック解除システムを示す図１Ａの線Ｄ−Ｄに沿った断面図である。
【図１Ｃ】調理器具に圧力がかけられていない場合、器具の開放に先立って、ロック解除位置にある本発明のロック／ロック解除システムの詳細を示す図１Ｂの線Ｅ−Ｅに沿った断面図である。
【図２Ａ】調理器具が開放されて圧力がかけられていない場合、ずらされた位置における蓋および鍋ハンドルの上面図である。
【図２Ｂ】調理器具に圧力がかけられていない場合、器具の開放位置における本発明のロック／ロック解除システムを示す図２Ａの線Ｂ−Ｂに沿った断面図である。
【図２Ｃ】調理器具に圧力がかけられていない場合、器具の開放位置における本発明のロック／ロック解除システムの詳細を示す図２Ｂの線Ｃ−Ｃに沿った断面図である。
【図３Ａ】調理器具に圧力がかけられている場合、上限に位置するロック位置にある蓋および鍋ハンドルの上面図である。
【図３Ｂ】調理器具に圧力がかけられている場合、器具の閉じ位置にある本発明のロック／ロック解除システムを示す図３Ａの線Ａ−Ａに沿った断面図である。
【図３Ｃ】調理器具に圧力がかけられている場合、器具の閉じ位置にある本発明のロック／ロック解除システムの詳細を示す図３Ｂの線Ｆ−Ｆに沿った断面図である。
【図４】本発明の安全装置が収容される蓋ハンドルを示す斜視図である。
【図５】本発明のトリガ手段、保持端、および制御斜面を備えている鍋ハンドルの詳細を示す斜視図である。
【符号の説明】
【０１０５】
１    鍋、
２    蓋、
７    鍋ハンドル、
８    蓋ハンドル、
１０    ロック／ロック解除システム、
１１    安全弁、
１３    安全装置、
１７    制御末端部、
３２    切欠き部、
３３    保持端。
【図１Ａ】
2005237974.tif 000003
【図１Ｂ】
2005237974.tif 000004
【図１Ｃ】
2005237974.tif 000005
【図２Ａ】
2005237974.tif 000006
【図２Ｂ】
2005237974.tif 000007
【図２Ｃ】
2005237974.tif 000008
【図３Ａ】
2005237974.tif 000009
【図３Ｂ】
2005237974.tif 000010
【図３Ｃ】
2005237974.tif 000011
【図４】
2005237974.tif 000012
【図５】
2005237974.tif 000013